【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】被写体輝度を測定する測光手段と、該測光手段の出力を基に算出される露出情報に対して意図的に補正を加える露出補正操作手段と、単画像表示あるいは複数画像表示のいずれかを選択的に表示可能な画像表示手段と、撮影を実行する撮影手段とを有する画像再生機能付きカメラにおいて、
前記露出補正操作手段の操作が行われた場合、前記複数画像表示を自動的に選択し、前記測光手段の出力を基に算出される露出情報による撮影と、前記露出補正操作手段により補正が加えられた露出情報での撮影を前記撮影手段に連続して行わせ、これら撮影により得られる複数の画像情報を前記画像表示手段に同一画面にて同時に表示させる画像処理手段を有することを特徴とする画像再生機能付きカメラ。
【請求項２】前記露出補正操作手段は、前記測光手段の出力を基に算出される露出情報に対して、オーバー側とアンダー側の少なくとも一方へ補正を加える量を設定する手段であることを特徴とする請求項１記載の画像再生機能付きカメラ。
【請求項３】前記画像処理手段は、前記露出補正操作手段により前記測光手段の出力を基に算出される露出情報に対してオーバー側とアンダー側の少なくとも一方に補正が加えられた場合、前記測光手段の出力を基に算出される露出情報による撮影と、前記オーバー側とアンダー側の少なくとも一方に補正が加えられた露出情報での撮影を前記撮影手段に連続して行わせることを特徴とする請求項２記載の画像再生機能付きカメラ。
【請求項４】被写体輝度を測定する測光手段と、単画像表示あるいは複数画像表示のいずれかを選択的に表示可能な画像表示手段と、撮影を実行する撮影手段とを有する画像再生機能付きカメラにおいて、
前記測光手段の出力を基に算出される露出情報に対して所定量の補正を加える露出変更手段と、該露出変更手段にて露出情報が変更された場合、前記複数画像表示を自動的に選択し、前記測光手段の出力を基に算出される露出情報による撮影と、前記露出変更手段により変更された露出情報での撮影を前記撮影手段に連続して行わせ、これら撮影により得られる複数の画像情報を前記画像表示手段に同一画面にて同時に表示させる画像処理手段を有することを特徴とする画像再生機能付きカメラ。
【請求項５】前記露出変更手段は、前記測光手段の出力を基に算出される露出情報に対して、オーバー側とアンダー側の少なくとも一方へ所定量の補正を加える手段であることを特徴とする請求項４記載の画像再生機能付きカメラ。
【請求項６】前記露出変更手段は、カメラに備えられた撮影に関する情報を検出する撮影関連情報検出手段からの情報に基づいて、前記測光手段の出力を基に算出される露出情報に対して所定量の補正を加える手段であることを特徴とする請求項４又は５記載の画像再生機能付きカメラ。
【請求項７】前記撮影関連情報検出手段は、前記測光手段により得られる撮影範囲の中央部と周辺部の輝度差を検知する手段であり、前記露出変更手段は、前記輝度差に基づいて、前記測光手段の出力を基に算出される露出情報に対して所定量の補正を加えることを特徴とする請求項６記載の画像再生機能付きカメラ。
【請求項８】前記撮影関連情報検出手段は、日付け情報、温度情報、測位情報、方位情報のうちの一つもしくは複数の情報を検出する手段であり、前記露出変更手段は、前記一つもしくは複数の情報に基づいて、前記測光手段の出力を基に算出される露出情報に対して所定量の補正を加えることを特徴とする請求項６記載の画像再生機能付きカメラ。
【請求項９】前記画像表示手段に表示された複数の画像の中から所望の画像を選択する為の画像選択手段と、該画像選択手段により選択された画像のみを記録媒体に記録する画像記録手段とを有することを特徴とする請求項１又は４記載の画像再生機能付きカメラ。
【手続補正２】
【補正対象書類名】明細書
【補正対象項目名】０００９
【補正方法】変更
【補正の内容】
【０００９】
【課題を解決するための手段】上記第１の目的を達成するために、請求項１〜３及び９記載の本発明は、被写体輝度を測定する測光手段と、該測光手段の出力を基に算出される露出情報に対して意図的に補正を加える露出補正操作手段と、単画像表示あるいは複数画像表示のいずれかを選択的に表示可能な画像表示手段と、撮影を実行する撮影手段とを有する画像再生機能付きカメラにおいて、前記露出補正操作手段の操作が行われた場合、前記複数画像表示を自動的に選択し、前記測光手段の出力を基に算出される露出情報による撮影と、前記露出補正操作手段により補正が加えられた露出情報での撮影を前記撮影手段に連続して行わせ、これら撮影により得られる複数の画像情報を前記画像表示手段に同一画面にて同時に表示させる画像処理手段を有する画像再生機能付きカメラとするものである。
【手続補正３】
【補正対象書類名】明細書
【補正対象項目名】００１０
【補正方法】変更
【補正の内容】
【００１０】
また、上記第２の目的を達成するために、請求項２記載の本発明は、露出補正操作手段が、測光手段の出力を基に算出される露出情報に対して、オーバー側とアンダー側の少なくとも一方へ補正を加える量を設定する手段である請求項１記載の画像再生機能付きカメラとするものである。
【手続補正４】
【補正対象書類名】明細書
【補正対象項目名】００１１
【補正方法】変更
【補正の内容】
【００１１】
また、上記第３の目的を達成するために、請求項４〜９記載の本発明は、被写体輝度を測定する測光手段と、単画像表示あるいは複数画像表示のいずれかを選択的に表示可能な画像表示手段と、撮影を実行する撮影手段とを有する画像再生機能付きカメラにおいて、前記測光手段の出力を基に算出される露出情報に対して所定量の補正を加える露出変更手段と、該露出変更手段にて露出情報が変更された場合、前記複数画像表示を自動的に選択し、前記測光手段の出力を基に算出される露出情報による撮影と、前記露出変更手段により変更された露出情報での撮影を前記撮影手段に連続して行わせ、これら撮影により得られる複数の画像情報を前記画像表示手段に同一画面にて同時に表示させる画像処理手段を有する画像再生機能付きカメラとするものである。
【手続補正５】
【補正対象書類名】明細書
【補正対象項目名】００１２
【補正方法】変更
【補正の内容】
【００１２】
また、上記第２の目的を達成するために、請求項５記載の本発明は、露出変更手段が、測光手段の出力を基に算出される露出情報に対して、オーバー側とアンダー側の少なくとも一方へ所定量の補正を加える手段である請求項４記載の画像再生機能付きカメラとするものである。
【手続補正６】
【補正対象書類名】明細書
【補正対象項目名】００１５
【補正方法】変更
【補正の内容】
【００１５】
図１は本発明の実施の第１の形態に係るデジタルスチルカメラの基本構成を示すブロック図である。この実施の形態で説明するデジタルスチルカメラは、映像出力信号が内蔵の液晶モニタに送られ、該液晶モニタ上の画面に撮影された画像を再生するようになっている。
【手続補正７】
【補正対象書類名】明細書
【補正対象項目名】００４８
【補正方法】変更
【補正の内容】
【００４８】
また、請求項２又は５記載の本発明によれば、略同一の被写体に対して露出の異なる画像のみを画像表示させ、所望の画像を選択させることができる画像再生機能付きカメラを提供できるものである。